【事件の表示】
　特許第３３９８６６１号「給水装置」の請求項１ないし請求項３に係る発明についての特許に対する特許異議の申立てについて、次のとおり決定する。
【結　論】
　特許第３３９８６６１号の請求項１ないし請求項３に係る発明についての特許を維持する。
【理　由】
一、手続の経緯
　本件特許第３３９８６６１号に係る発明は、平成１２年１１月２２日に特許出願された特願２０００−３５５３９４号に係り、この発明の特許について、平成１５年２月１４日に設定登録され、この特許に対し、特許異議申立人松林由佳（以下、「申立人」という。）により特許異議の申立てがなされたものである。
　
二、特許異議の申立てについて
１．特許異議の申立ての理由の概要
　申立人は、本件特許出願前に頒布された刊行物である下記の証拠を提示して、本件の特許請求の範囲の請求項１ないし請求項３に係る発明（以下、順に「本件発明１」ないし「本件発明３」といい、それらを総称するときは単に「本件発明」という。）についての本件特許は、次の取消理由により、取り消されるべきである旨を主張している。
［取消理由］：本件発明１ないし本件発明３は、甲第１号証刊行物或いは甲第２号証刊行物に記載の発明、並びに、甲第３号証刊行物及び甲第４号証刊行物に記載の周知技術に基いて当業者が容易に発明をすることができたものであり、本件発明１ないし本件発明３は特許法第２９条第２項の規定に違反して特許されたものであるから、取り消されるべきものである。
　　　　　　　　　　　　　　　　　記
　甲第１号証刊行物：特開平９−３０８８７８号公報
　甲第２号証刊行物：特開平５−７６８６４号公報
　甲第３号証刊行物：特開平６−４７７号公報
　甲第４号証刊行物：実願昭６１−１７２０３８号（実開昭６３−７７６９０号）のマイクロフィルム
　
２．本件発明
　本件発明１ないし本件発明３は、特許査定時の明細書の特許請求の範囲の請求項１ないし請求項３に記載された次の事項により特定されるとおりのものである。
　本件発明１：【請求項１】水浄化材を収容した浄水器と、該浄水器へ原水を導入する一次側流路と、該浄水器の出口から蛇口に至る二次側流路と、一次側流路の途中から分岐して二次側流路に合流するバイパス流路と、その分岐部に介在する流路切換・遮断手段と、二次側流路におけるバイパス流路の合流部よりも上流側に介装された逆流阻止手段と、前記流路切換・遮断手段の作動を司る制御装置と、蛇口からの浄水及び原水の吐出・止水を指示する操作スイッチとを備え、
　前記制御装置は、前記流路切換・遮断手段により、止水中には一次側流路の上流側を当該一次側流路の下流側とバイパス流路との両方に対して非連通とし、前記操作スイッチの浄水吐出の指示によって一次側流路の上流側と下流側とを連通させる一方、原水吐出の指示によって一次側流路の上流側とバイパス流路とを連通させると共に、所定時間経過毎もしくは止水時間が設定値に達する毎に一次側流路の上流側とバイパス流路とを一時的に連通させるように設定されてなる給水装置。
　本件発明２：【請求項２】前記流路切換・遮断手段は、電磁開閉弁と、その下流側に配置する２方向流路切換弁とで構成されてなる請求項１記載の給水装置。
　本件発明３：【請求項３】二次側流路における前記逆流阻止手段が逆止弁である請求項１又は２に記載の給水装置。
　
３．甲号各証に記載の事項
　
甲第１号証刊行物
　「【請求項１】原水を濾過して浄水化する濾材を収容した濾過器と、この濾過器へ原水を導入する原水導入路と、濾過器より抽出された浄水を蛇口へ導く浄水導出路と、浄水の抽出・抽出停止を司る止水栓と、前記の原水導入路又は浄水導出路に介在する通水検知センサーと、濾過器の濾材が交換時期になったことを報知する報知器と、前記の通水検知センサーによる検知信号に基づいて浄水の抽出量又は抽出回数を積算し、この積算値が設定値に達した際に前記報知器を作動させる制御装置とを具備してなる浄水器。
　　【請求項２】前記制御装置は、前記の積算値が設定値に達した後、通水検知センサーによる検知信号の入力の都度に報知器の作動信号を出力するように設定されてなる請求項１記載の浄水器。
　　【請求項３】前記止水栓が原水導入路に設けられると共に、該止水栓を経由せずに原水を濾過器へ供給するバイパス給水路を備え、このバイパス給水路に前記制御装置にて開閉制御される自動開閉弁が介挿され、該制御装置は通水検知センサーによる検知信号に基づいて浄水抽出のない状態が所定時間に達した際に一時的に前記開閉弁を開放するように設定されてなる請求項１又は２に記載の浄水器。
　　【請求項４】原水導入路と浄水導出路とを直接に連絡する短絡流路を備え、前記止水栓が原水導入路における該短絡流路の分岐部に介在して該分岐部に臨む流路の１つを閉止する三方切替えコックよりなる請求項１〜３のいずれかに記載の浄水器。
　　【請求項５】通水検知センサーは、上方から下方へ通水する水路内に装填された浮きに設けられた磁石と、該水路外に設けられて前記磁石の磁力によって開閉する電気接点とからなる磁気センサーである請求項１〜４のいずれかに記載の浄水器。」
　「【０００２】【従来技術とその課題】浄水器は、浄水抽出の繰り返しによって濾材の濾過機能が次第に低下することから、その性能を維持する上で定期的に濾材を新品に交換する必要がある。このため、従来の浄水器においては、濾過器に設けた窓部より内部の状態が見えるようにし、濾材の変色度合を目安にして交換時期を知るものや、濾過器の原水導入側と浄水抽出側の圧力差を表示し、この圧力差が設定値以上になれば交換時期とするもの等があった。
　　【０００３】しかしながら、上記従来の浄水器では、濾材の交換は使用者まかせである上、いずれも使用者が目視で確認して交換の要否を判定するようになっているため、確認のし忘れによって浄水化機能を喪失したままで長期間使用し、水質の異常を感じて初めて濾材交換を行うことが多々あった。また、濾材自体の濾過機能は充分であっても、浄水の抽出がない状態で長時間を経過すると、水の更新がない濾過器内に雑菌が繁殖して不衛生になることもあった。
　　【０００４】この発明の第一の目的は、上述の事情に鑑みて、使用者が濾材の交換時期を確実に知ることができ、もって常に安心して美味しい水を利用できる浄水器を提供することにある。また、この発明の第二の目的は、長時間の不使用状態を経ても不衛生にならない浄水器を提供することにある。」
　「【０００８】請求項３の発明は、前記第二の目的を達成するために、上記請求項１又は２の浄水器において、止水栓が原水導入路に設けられると共に、この止水栓を経由せずに原水を濾過器へ供給するバイパス給水路を備え、該バイパス給水路に前記制御装置にて開閉制御される開閉弁が介挿され、該制御装置は通水検知センサーによる検知信号に基づいて浄水抽出のない状態が所定時間に達した際に一時的に前記開閉弁を開放するように設定された構成を採用している。
　　【０００９】すなわち、この請求項３の構成によれば、何らかのの事情で使用者が長時間にわたり浄水抽出を行わない状態が続いても、所定の時間が経過すれば自動的にバイパス給水路の開閉弁が開放し、該バイパス給水路から原水が濾過器に導入されて浄水導出口より排水され、もって濾過器内の水が一定時間内に必ず更新されることになる。
　　【００１０】請求項４の発明では、前記請求項１〜３の浄水器において、原水導入路と浄水導出路とを直接に連絡する短絡流路を備え、前記止水栓が原水導入路における該短絡流路の分岐部に介在して該分岐部に臨む流路の１つを閉止する三方切替えコックよりなる構成を採用していることから、前記三方切替えコックにて原水導入路の濾過器側の流路を閉止することにより、原水を濾過器に通さずに短絡流路から浄水導出路へ直接に通水して蛇口から導出させることができる。」
　「【００１３】図１に示すように、浄水器（１）は、濾過器（２）を納めた縦筒形のケース（１ａ）の上部に制御機構部（３）が設けられ、このケース（１ａ）の上方に蛇口（４）と三方切替えコック（５）を有する操作部（６）が設置されており、水道管（２１）に分岐接続した原水供給管（７ａ）が止水部（６）に接続すると共に、該止水部（６）と濾過器（２）との間に原水導入管（７ｂ）及び浄水導出管（８）が接続され、原水供給管（７ａ）と原水導入管（７ｂ）とで原水（水道水）を濾過器（２）内へ導入する原水導入路（７）を構成している。（３０）は制御機構部（３）の前面に設けられたコントロールパネル、（９ａ）は水道管（２１）に介挿された給水用止水栓、（９ｂ）は原水供給管（７ａ）の基部に介挿された浄水器用給水栓である。
　　【００１４】操作部（６）は、図２における上位側の仮想線枠内に示すように、原水導入路（７）の原水給管（７ａ）と浄水導出管（８）とを直接に連絡する短絡流路（１０）が設けられ、三方切替えコック（５）が該短絡流路（１０）と原水供給管（７ａ）及び原水導入管（７ｂ）との分岐部に介在して何れかの流路を閉止するように構成されている。また、原水導入路（７）には三方切替えコック（５）を経由せずに原水供給管（７ａ）と原水導入管（７ｂ）とを連絡するバイパス給水路（１１）が設けられ、このバイパス給水路（１１）に制御装置（１２）によって開閉制御される自動開閉弁（１２）が介挿されると共に、原水導入管（７ｂ）には該バイパス給水路（１１）の接続位置よりも濾過器（２）側（下流側）に通水検知センサー（１４）が介在している。
　　【００１５】しかして、制御機構部（３）には、図２における下位側の仮想線枠内に示すように、前記のバイパス給水路（１１）の自動開閉弁（１２）部分と、制御装置（１３）と、通水検知センサー（１４）部分と、制御装置（１３）にて作動制御されるブザー（１５）とが内蔵されている。」
　「【００１７】制御装置（１３）は、後述するように、上記の通水検知センサー（１４）の検知信号に基づいて濾材（２ａ）の交換時期を報知する機能と、タイマーの時間設定によって濾過器（２）内の水を所定時間置きに更新する自動通水機能とを具備するものであり、これら両機能を司る制御回路を有するマイクロコンピューターを内蔵している。
　　【００１８】上記構成の浄水器（１）においては、水不使用下では、図２に示すように三方切替えコック（５）が原水供給管（７ａ）を閉止する切替え位置にあり、バイパス給水路（１２）も平常時は自動開閉弁（１２）にて閉鎖されている。しかるに、三方切替えコック（５）を浄水抽出位置に切換え操作すると、図３に示すように、該コック（５）は短絡流路（１０）を閉止する位置となって原水供給管（７ａ）と原水導入管（７ｂ）とが連通するから、原水（水道水）は濾過器（２）内へ流入し、濾材（２）を透過して浄水として抽出され、浄水導出管（８）を通って蛇口（４）から流出する。」
　「【００２２】一方、制御装置（１３）の自動通水機能は、浄水抽出の都度に通水検知センサー（１４）による検知信号に基づいて既述のタイマーが始動し、このタイマーの設定時間までに次の浄水抽出が行われなかった場合に、自動開閉弁（１２）を一時的に開放させるものである。この開放作動により、図６に示すように、原水がバイパス給水路を通って濾過器（２）内に流入し、それ以前に濾過器（２）内に滞留していた水が浄水導出管（８）を通って蛇口（４）から流出するため、濾過器（２）内の水が更新され、該濾過器（２）内での水の長期滞留による雑菌の繁殖が防止される。
　　【００２３】自動開閉弁（１２）の開放状態は濾過器（２）内の水が完全に更新されるに必要な時間だけ継続するように設定されると共に、タイマーの設定時間は濾材（２ａ）の種類や濾過器（２）の容量等に応じて適宜定められる。また、自動開閉弁（１２）の開放作動後、並びに前記設定時間内に次の浄水抽出があった際には、前記タイマーは始動状態に戻って新たに浄水の非抽出の継続時間を計測することになる。なお、この実施例構成では、自動開閉弁（１２）の開放による通水時にも通水検知センサー（１４）が作動するため、この通水は前記制御装置（１３）による浄水の抽出回数もしくは浄水抽出量の積算に加えられる。
　　【００２４】更に、この実施例構成の浄水器（１）にあっては、使用する水が例えば飲用に供しない洗い水等であって、従って浄水化を必要としない場合に、三方切替えコック（５）の切換え操作によって原水（水道水）を直接に蛇口（４）から導出させることができる。すなわち、図７に示すように、三方切替えコック（５）が原水導入管（７ｂ）を閉止する切替え位置になると、原水供給管（７ａ）と短絡流路（１０）とが連通するから、原水は濾過器（２）を経由せずに短絡流路（１０）を通って蛇口（４）へ導かれる」
　「【００２９】請求項３の発明によれば、上記の浄水器として、浄水抽出のない状態が長期間続いても、所定時間の経過によって自動的に原水が濾過器に導入されるため、該濾過器内の水が必ず一定時間内に更新され、もって濾過器内の水の長期滞留に起因した雑菌の繁殖を防止でき、非常に衛生的なものが提供される。
　　【００３０】請求項４の発明によれば、上記の浄水器として、本来の浄水化機能に加え、止水栓の切替え操作によって原水を直接に蛇口から導出させることができ、例えば洗い水等の浄水化を必要としない場合に、濾過器の透過による圧損のない高水圧の水を使用できて便利であると共に、浄水化不要な水を濾過器に通すことによる濾材寿命の低下を回避でき、それだけ保守コストを低減できるものが提供される。」
　そうしてみると、上記摘記事項及び図面の記載等からみて、この甲第１号証刊行物には、「原水を濾過して浄水化する濾材（２ａ）を収容した濾過器（２）と、この濾過器（２）へ原水を導入するための上流側原水供給管（７ａ）と下流側原水導入管（７ｂ）とからなる原水導入路（７）と、濾過器（２）から抽出された浄水を蛇口（４）へ導く浄水導出路（８）と、原水導入路（７）の上流側原水供給管（７ａ）と浄水導出路（８）とを直接に連絡する短絡流路（１０）と、原水導入路（７）における下流側原水導入管（７ｂ）と前記短絡流路（１０）との分岐部に介在して該分岐部に臨む流路の１つを閉止して浄水の抽出・抽出停止を司る三方切替えコック（５）よりなる前記止水栓（５）と、該止水栓（５）を経由せずに上流側原水供給管（７ａ）と下流側原水導入管（７ｂ）とをバイパスして原水を濾過器（２）へ供給するバイパス給水路（１１）と、該バイパス給水路（１１）に介挿されて制御装置（１３）にて開閉制御される自動開閉弁（１２）と、前記原水導入路（７）又は浄水導出路（８）に介在する通水検知センサー（１４）と、濾過器（２）の濾材（２ａ）の交換時期を報知する報知器（１５）とを備え、前記制御装置（１３）は、前記通水検知センサー（１４）による検知信号に基づいて、浄水の抽出量又は抽出回数を積算し、この積算値が設定値に達した際に前記報知器（１５）を作動させ、また、通水検知センサー（１４）による検知信号に基づいて浄水抽出のない状態が所定時間に達した際に一時的に前記開閉弁（１２）を開放するように設定されてなる浄水器（１）」の発明（以下、これを「引用発明１」という。）が記載されている。
　
　
甲第２号証刊行物
　「【０００３】【発明が解決しようとする課題】ところが、従来にあっては、単に浄水器で浄化した水のみを使用しているのみであったので、冷水が欲しいときには更にこの浄水を冷蔵庫などで冷やさなければならなかった。そこで、浄水器で浄化した水道水をからんに供給する水路の途中に冷却装置を配置して冷却することが考えられるが、使用しない時に冷水装置内に残る残水は浄水器で浄化された浄水が溜まり、この浄水は水道水に含まれている塩素等の殺菌手段が除去された水であるため、冷却装置内で菌が繁殖しやすいという問題がある。
　　【０００４】本発明は上記の従来例の問題点に鑑みて発明したものであって、その目的とするところは、冷却された浄水が使用できるようにしたにもかかわらず、冷却装置内の殺菌ができる冷却機能付浄水器を提供するにある。
　　【０００５】【課題を解決するための手段】本発明の冷却機能付浄水器は、水道水導入管１８から導入される水道水を浄化するための浄水器１と、浄水器１で浄化された浄水を冷却装置４に導入するための冷却装置側導入管２９と、冷却装置４により冷却された浄水をからん２側に供給する冷却装置側導出管３０とを備え、水道水導入管１８の途中から切換弁３５を介してバイパス管３６を分岐してバイパス管３６の先端を冷却装置側導入管２９に接続して成ることを特徴とするものであって、このような構成を採用することにより、上記した従来例の問題点を解決して本発明の目的を達成したものである。
　　【０００６】【作用】冷却された浄水をからん２から吐水させる場合には、水道水導入管１８から浄水器１に水道水を流し、浄水器１で浄水とし、この浄水を冷却装置側導入管２９から冷却装置４に流し、冷却装置４により冷却された浄水を冷却装置側導出管３０からからん２側に流してからん２から冷却された浄水を吐水するものである。一方、冷却装置４を殺菌する場合には、切換弁３５を切換えて水道水導入管１８の途中からバイパス管３６に水道水を流し、冷却装置側導入管２９、冷却装置４、冷却装置側導出管３０へと流す。ここで、冷却装置４側に水道水を直接流すことで、水道水に含まれている塩素分により冷却装置４内の水路が殺菌されることになる。
　　【０００７】【実施例】以下本発明を添付図面に示す実施例に基づいて詳述する。浄水器１は浄水器ケース８内に内装してあり、この浄水器ケース８内には更に制御弁装置７、制御弁装置７を制御するマイコンよりなる制御部９等が組み込んである。冷水装置４は冷水装置ケース１０内に熱交換部１１、コンプレッサ１２、凝縮器１３、ファン１４、温度センサ１５等を組み込んで構成してある。そして、上記ユニット化された浄水器ケース８と冷水装置ケース１０とは図２に示すように流し台１６のキャビネット部１７内に内装してある。
　　【０００８】図１に示すように、浄水器ケース８内には水道水導入管１８が配置してあり、この水道水導入管１８の一端部が浄水器ケース８の外面に位置していて、補助水道管１９の一端部がコネクタ２０を介して接続してある。補助水道管１９の他端部は水道管２０に止水栓２１、逆止弁２２を介して接続してある。水道水導入管１８は浄水器ケース８内において制御弁装置７を介して浄水器１の入口に接続してあり、更に、浄水器１の出口から浄水導出管２３が導出されてこの浄水導出管２３は制御弁装置７に接続してある。制御弁装置７に更に冷却水側出配管２４、冷却水入配管２５、浄水出配管２６、冷却水出配管２７、排水出配管２８の各端部が接続してある。これら冷却水側出配管２４、冷却水入配管２５、浄水出配管２６、冷却水出配管２７、排水出配管２８の各他端部は浄水器ケース８の外面に位置しており、この冷却水側出配管２４、冷却水入配管２５、浄水出配管２６、冷却水出配管２７、排水出配管２８の各他端部にそれぞれ、冷却装置側導入管２９、冷却装置側導出管３０、浄水用管３、冷却水用管５、排水管６の各端部がコネクタ２０を介して接続してある。ここで、制御弁装置７には図３に示すように弁７ａ、７ｂ、７ｃが設けてある。」
　「【００１０】水道水導入管１８の制御弁装置７の手前部分から切換弁３５を介してバイパス管３６を分岐してあり、このバイパス管３６の先端を冷却装置側導入管２９に接続してある。
　からん２には操作部３２が設けてあり、操作部３２を操作することで、制御弁装置７をマイコンよりなる制御部９により制御して、弁７ａを開閉して水道水導入管１８部分を水道水を通すか通さないかを切り換えたり、あるいは、弁７ｂ、弁７ｃを切換えて水道水導入管１８を流れた水道水が浄水器１に流れて浄化された後、浄水導出管２３から制御弁装置７を通って浄水出配管２６から浄水用管３に流れてからん２から常温の浄水として吐水されたり、あるいは、水道水導入管１８を流れた水道水が浄水器１に流れて浄化された後、浄水導出管２３から制御弁装置７を通って冷却水側出配管２４、冷却装置側導入管２９、冷却装置４、冷却装置側導出管３０、冷却水入配管２５、制御弁装置７、冷却水出配管２７、冷却水用管５、からん２に流れて冷却された浄水として吐水されたり、あるいは、浄水器１の残水が浄水導出管２３から制御弁装置７を通って冷却水側出配管２４、冷却装置側導入管２９、冷却装置４、冷却装置側導出管３０、冷却水入配管２５、制御弁装置７を経て排水出配管２８、排水管６へ流れて排水口３１から排水されるものであり、この場合、浄水器１内の残水はもちろんのこと途中の各配管及び冷却装置４内の残水も同時に排水されることになる。ところで、残水の排水に当たっては、水道水導入管１８部分から水道水が流れるようにオンにすることで残水の排水ができるものである。そして、上記各使用形態の選択は操作部３２を操作することで、制御弁装置７をマイコンよりなる制御部９により制御して行うものである。
　　【００１１】また、操作部３２を操作して冷却装置４の水路の殺菌をする場合には、操作部３２を操作して制御部９により切換弁３５を切換えて水道水供給管１８の途中から水道水をバイパス管３６に流し、バイパス管３６から冷却装置側導入管２９、冷却装置４、冷却装置側導出管３０へと流し、冷却水入配管２５、制御弁装置７を経て排水出配管２８、排水管６へ流れて排水口３１から残水を排水し、冷却装置４の管路内には水道水を溜めるものである。このことにより、水道水に含まれている塩素分のような殺菌成分により冷却装置４の管路内が殺菌され、冷却装置４の管路内に菌が発生するのが防止される。この冷却装置４の管路内に水道水を流して殺菌するのは浄水を使用しない時に時々行うものである。」
　「【００１３】【発明の効果】本発明にあっては、上述のように、水道水導入管から導入される水道水を浄化するための浄水器と、浄水器で浄化された浄水を冷却装置に導入するための冷却装置側導入管と、冷却装置により冷却された浄水をからん側に供給する冷却装置側導出管とを備え、水道水導入管の途中から切換弁を介してバイパス管を分岐してバイパス管の先端を冷却装置側導入管に接続してあるので、冷却した浄水をからんから吐水させることができるように、浄水器で浄化した浄水をからんに供給する水路の途中に冷却装置を配置したにもかかわらず、切換弁を切換えて冷却装置側に水道水を直接流すことで、水道水に含まれている塩素分により冷却装置内の水路を殺菌することができるものである。」
　そうしてみると、上記摘記事項及び図面の記載等からみて、この甲第２号証刊行物には、「水道水導入管１８から導入される水道水を浄化するための浄水器１と、浄水器１で浄化された浄水を冷却装置４に導入するための冷却装置側導入管２９と、冷却装置４により冷却された浄水をからん２側に供給する冷却装置側導出管３０とを備え、水道水導入管１８の制御弁装置７の手前部分から切換弁３５を介してバイパス管３６を分岐してバイパス管３６の先端を冷却装置側導入管２９に接続し、水道水導入管１８部分を水道水を通すか通さないかの場合の弁７ａの開閉切換えと、水道水導入管１８を流れた水道水が浄水器１に流れて浄化された後、浄水導出管２３から制御弁装置７を通って浄水出配管２６から浄水用管３に流れてからん２から常温の浄水として吐水させる場合の弁７ｂ、弁７ｃの開閉切換えと、水道水導入管１８を流れた水道水が浄水器１に流れて浄化された後、浄水導出管２３から制御弁装置７を通って冷却水側出配管２４、冷却装置側導入管２９、冷却装置４、冷却装置側導出管３０、冷却水入配管２５、制御弁装置７、冷却水出配管２７、冷却水用管５、からん２に流れてからん２から冷却された浄水として吐水させる場合の制御弁装置７の切換えと、浄水器１の残水が浄水導出管２３から制御弁装置７を通って冷却水側出配管２４、冷却装置側導入管２９、冷却装置４、冷却装置側導出管３０、冷却水入配管２５、制御弁装置７を経て排水出配管２８、排水管６へ流れて排水口３１から排水させる制御弁装置７の切換えを、からん２に設けられた操作部３２の操作を通してマイコンからなる制御部９により弁７ａ、７ｂ、７ｃの制御弁装置７の切換を制御して、操作部３２の操作による制御部９の制御弁装置７の制御により、水道水導入管１８から浄水器１に水道水を流し、浄水器１で浄水とし、この浄水を冷却装置側導入管２９から冷却装置４に流し、冷却装置４により冷却された浄水を冷却装置側導出管３０からからん２側に流してからん２から冷却された浄水を吐水させることができる一方、操作部３２の操作による制御部９の切換弁３５の切換え制御により、水道水供給管１８の途中から水道水をバイパス管３６に流し、バイパス管３６から冷却装置側導入管２９、冷却装置４、冷却装置側導出管３０へと流し、冷却水入配管２５、制御弁装置７を経て排水出配管２８、排水管６へ流れて排水口３１から残水を排水し、冷却装置４の管路内には水道水を溜めて、以て冷却装置４側に水道水を直接流すことにより、水道水に含まれている塩素分のような殺菌成分により冷却装置４の管路内が殺菌されて、冷却装置４の管路内での菌の発生を防止する冷却機能付浄水器」の発明（以下、これを「引用発明２」という。）が記載されている。
　
　
甲第３号証刊行物
　「【請求項４】定流量弁は逆止弁と一体に形成されていることを特徴とする請求項１記載の浄水装置。」
　「【００１０】そして継ぎ手９の上部内には、弾性体からなる弁体９０が配設されている。この弁体９０は、その上部側が逆止弁部９１、下部がスリットを有する定流量弁部９２となっている。……」
　「【００１１】……後述の専用水栓Ｂにフレキシブル管やホースを介して接続される排出口３５は、その内部に逆流防止用のボール３６を備えている。」
　「【００１２】……なお、交換のためにカートリッジ４を取り外した時、上記の逆流防止用ボール３６が専用水栓Ｂからの逆流を防ぐために、キャビネット１００内を濡らすことはない。」
　「【００１６】……なお、弁体９０における逆止弁部９１は、断水等の際に、カートリッジ４内の滞留水が水道管側へ逆流することを防ぐ。」
　
　
甲第４号証刊行物
　「分岐管を通して原水を中空糸濾過膜層に直接流入させることにより、殺菌剤成分を中空糸濾過膜の周囲に存在させることができ、目的とする除菌操作を行なうことができるが、吸着材層と中空糸濾過膜層の水が遮断されていると、該殺菌剤成分が吸着材によって除去される惧れがなくなり除菌効果が一段と向上するので、吸着材層と中空糸濾過膜層の間には水の逆流防止機構を設け、両層の水を互いに遮断することがより好ましい。水の逆流防止機構は逆流防止弁であってもよく、又、空気層を存在させた水の遮断機構であってもよい 。」（明細書９頁６〜１７行）
　「また、必要に応じて図に示すような位置に逆流防止弁１３を設けることにより、除菌操作の効果をより一層高めることができる。」（明細書１２頁１８〜２０行）
　
４．当審の判断
イ．本件発明１について
（ａ）本件発明１と
引用発明１
（ａ−１）対比及び一致点・相違点
　本件発明１と引用発明１とを対比すると、引用発明１の「濾材（２ａ）」「濾過器（２）」「上流側原水供給管（７ａ）と下流側原水導入管（７ｂ）とからなる原水導入路（７）」「浄水を蛇口（４）へ導く浄水導出路（８）」「原水導入路（７）の上流側原水供給管（７ａ）と浄水導出路（８）とを直接に連絡する短絡流路（１０）」「原水導入路（７）における下流側原水導入管（７ｂ）と前記短絡流路（１０）との分岐部」「分岐部に臨む流路の１つを閉止して浄水の抽出・抽出停止を司る三方切替えコック（５）よりなる前記止水栓（５）」「制御装置（１３）」及び「浄水器（１）」は、本件発明１の「水浄化材」「浄水器」「浄水器へ原水を導入する一次側流路」「浄水器の出口から蛇口に至る二次側流路」「一次側流路の途中から分岐して二次側流路に合流するバイパス流路」「分岐部」「流路切換・遮断手段」「流路切換・遮断手段の作動を司る制御装置」及び「給水装置」にそれぞれ相当する。
　そして、引用発明１の通水検知センサー（１４）は、その検知信号に基づいて、浄水の抽出量又は抽出回数を積算し、この積算値が設定値に達した際に前記報知器（１５）を作動させ、また、通水検知センサー（１４）による検知信号に基づいて浄水抽出のない状態が所定時間に達した際に一時的に前記開閉弁（１２）を開放するように設定されてなるものであり、「所定時間経過毎もしくは止水時間が設定値に達する毎に何らかの流路を一時的に連通させる」の機能を有するといえるから、引用発明１と本件発明１の両者は、共に「所定時間経過毎もしくは止水時間が設定値に達する毎に何らかの流路を一時的に連通させる」機能を有する点で共通する。
　また、引用発明１の手動により操作される止水栓（５）は、流路を切替えるための三方切替えコック（５）よりなるものであり、手動操作とはいえども該止水栓（５）は「原水導入路（７）における下流側原水導入管（７ｂ）と前記短絡流路（１０）との分岐部に介在して該分岐部に臨む流路の１つを閉止して浄水の抽出・抽出停止を司る」機能を有していて、「蛇口からの浄水及び原水の吐出・止水を指示する操作スイッチ」に該当するといえるから、引用発明１の前記「止水栓（５）」は、本件発明１の「操作スイッチ」に対応する。
　そうしてみると、本件発明１と引用発明１の両者は、「水浄化材を収容した浄水器と、該浄水器へ原水を導入する一次側流路と、該浄水器の出口から蛇口に至る二次側流路と、一次側流路の途中から分岐して二次側流路に合流するバイパス流路と、その分岐部に介在する流路切換・遮断手段と、制御装置と、蛇口からの浄水及び原水の吐出・止水を指示する操作スイッチとを備え、前記流路切換・遮断手段により、止水中には一次側流路の上流側を当該一次側流路の下流側とバイパス流路との両方に対して非連通とし、前記操作スイッチの浄水吐出の指示によって一次側流路の上流側と下流側とを連通させる一方、原水吐出の指示によって一次側流路の上流側とバイパス流路とを連通させると共に、所定時間経過毎もしくは止水時間が設定値に達する毎に何等かの流路を一時的に連通させるように設定されてなる給水装置」である点で一致し、両者は次の点で構成が相違する。
　
相違点１
　
相違点２
　
相違点３
　
（ａ−２）相違点の検討
　上記相違点について検討する。
　まず、
相違点１について
　また、
相違点２について
　しかしながら、
相違点３について
　
（ａ−３）まとめ
　そうしてみると、本件発明１の前記相違点１に係る「二次側流路におけるバイパス流路の合流部よりも上流側に介装された逆流阻止手段」の構成が、申立人の主張のとおり、例えば甲第３号証刊行物及び甲第４号証刊行物に記載されているように、本件特許出願時の周知・慣用技術であったとしても、また、本件発明１の前記相違点２係る「流路切換・遮断手段の作動を司る制御装置」の構成が、甲第２号証刊行物に記載されていて、本件特許出願前の公知技術であったとしても、前記相違点３の構成については、上述した理由のとおりであるから、本件発明１は甲第１号証刊行物ないし甲第４号証刊行物に記載の発明に基づいて当業者が容易に発明をすることができたもの、ということができない。
　そして、本件発明１は、その請求項１に記載された発明特定事項により特許明細書に記載の「使用者が水使用の目的に応じて操作スイッチを操作するだけで、単一の蛇口から水道水の如き原水とこれを浄水器に通した浄水のいずれでも選択して採水できるから、使い勝手がよい上、原水用と浄水用の２つの蛇口を設ける必要がないため、流し近傍の空間を広く利用できると共に配管も簡素になって設備コストを低減できる。しかも、使用者が長時間にわたって採水を行わなくとも、ある程度の時間が経てば、自動的に原水を蛇口より一時的に放出するフラッシングが行われ、浄水器の二次側流路の途中から蛇口までの間の滞留水が更新されるから、外部の雑菌等の微生物が二次側流路を通って浄水器内へ侵入するのを防止できると共に、原水が水道水である場合は該フラッシングによって二次側流路内の消毒を行え、もって浄水器内の微生物繁殖による浄水の水質悪化を効果的に防止できる。また、該フラッシングでは、浄水器の内部全体の滞留水を更新（捨て水）するのに比較して必要水量は格段に少なくなる上、原水を浄水器内に通さないために水浄化材の浄化能力を落とさずに済み、それだけ水浄化材の寿命を延ばすことができ、加えて自動捨て水機能を付加する場合でも従来に比較して設定時間を大幅に長くとることができ、それだけ捨て水による無駄を著しく低減できる」という格別顕著な効果を奏するものと認められる。
　
（ｂ）本件発明１と
引用発明２
（ｂ−１）対比及び一致点・相違点
　本件発明１と引用発明２とを対比すると、引用発明２の「操作部３２」「水道水導入管１８」「水道水」「からん２」「バイパス管３６」「水道水供給管１８の途中」「切換弁３５」及び「冷却機能付浄水器」は、本件発明１の「蛇口からの浄水及び原水の吐出・止水を指示する操作スイッチ」「浄水器へ原水を導入する一次側流路」「原水」「蛇口」「一次側流路の途中から分岐して二次側流路に合流するバイパス流路」「分岐部」「流路切換・遮断手段」及び「給水装置」にそれぞれ相当する。
　ここで、甲第２号証刊行物に「浄化用の濾材」についての明示的な記載はないが、引用発明２の浄水器１は、水道水を浄化して浄水にするためのものであるから、引用発明２の浄水器１は、浄水器１の中に本件発明１の「水浄化材」に相当する「浄化用の濾材」を当然に具備しているといえる。
　そして、引用発明２の「浄水導出管２３から制御弁装置７を通って冷却水側出配管２４、冷却装置側導入管２９、冷却装置４、冷却装置側導出管３０、冷却水入配管２５、制御弁装置７、冷却水出配管２７、冷却水用管５、からん２に流れてからん２から冷却された浄水として吐水させる」ための一連の流路は、浄水器１から導出された浄水をからん２から吐出させるための流路のことであるから、本件発明１の「浄水器の出口から蛇口に至る二次側流路」に対応する。
　また、引用発明２の「弁７ａ、７ｂ、７ｃの制御弁装置７」は、浄水器１から導出された浄水が逆流することを防止するための弁７ｂを含んでいるから、本件発明１の「二次側流路におけるバイパス流路の合流部よりも上流側に介装された逆流阻止手段」に対応する。
　さらに、前記「相違点２について」欄において前述したように、引用発明２の「マイコンからなる制御部９」は、からん２に設けられた操作部３２の操作を通してする弁７ａ、７ｂ、７ｃの制御弁装置７の切換だけでなく、操作部３２の操作による切換弁３５の切換をも制御するものであるから、本件発明１の「前記流路切換・遮断手段の作動を司る制御装置」に対応するといえる。
　そうすると、本件発明１と引用発明２の両者は「水浄化材を収容した浄水器と、該浄水器へ原水を導入する一次側流路と、該浄水器の出口から蛇口に至る二次側流路と、一次側流路の途中から分岐して二次側流路に合流するバイパス流路と、その分岐部に介在する流路切換・遮断手段と、二次側流路におけるバイパス流路の合流部よりも上流側に介装された逆流阻止手段と、前記流路切換・遮断手段の作動を司る制御装置と、蛇口からの浄水及び原水の吐出・止水を指示する操作スイッチとを備え、前記制御装置は、前記流路切換・遮断手段により、止水中には一次側流路の上流側を当該一次側流路の下流側とバイパス流路との両方に対して非連通とし、前記操作スイッチの浄水吐出の指示によって一次側流路の上流側と下流側とを連通させる給水装置」である点で一致し、両者は少なくとも次の点で構成が相違する。
　
相違点４
　
（ｂ−２）相違点の検討
　上記相違点４について検討する。
　ここで、
相違点４について
　
（ｂ−３）まとめ
　したがって、本件発明１の相違点４に係る少なくとも上記「所定時間経過毎もしくは止水時間が設定値に達する毎に一次側流路の上流側とバイパス流路とを一時的に連通させるように設定されてなる」構成が、当業者が甲第１号証刊行物ないしび甲第４号証刊行物に記載の発明に基いて容易に想到できたことであるということができない。
　そして、引用発明２においては、使用しない時に冷水装置内に残る残水は浄水器で浄化された浄水が溜まり、この浄水は水道水に含まれている塩素等の殺菌手段が除去された水であるため、このような浄水を流しても、浄水器からの下流側の流路を殺菌をすることもできないから、冷却装置内で菌が繁殖しやすいという問題があるのであり、しかも、浄水器１を経由させずにバイパス管３６から水道水を冷却装置４を経由して直接に二次側流路に流しても、その排水は排水管６へ流れて排水口３１から排水されるようになっていて水道水が二次側流路のカラン２から吐出するということがない。
　しかも、引用発明２では、本件発明１のような「使用者が水使用の目的に応じて操作スイッチを操作するだけで、単一の蛇口から水道水の如き原水とこれを浄水器に通した浄水のいずれでも選択して採水できるから、使い勝手がよい上、原水用と浄水用の２つの蛇口を設ける必要がないため、流し近傍の空間を広く利用できると共に配管も簡素になって設備コストを低減できる」効果、「使用者が長時間にわたって採水を行わなくとも、ある程度の時間が経てば、自動的に原水を蛇口より一時的に放出するフラッシングが行われ、浄水器の二次側流路の途中から蛇口までの間の滞留水が更新されるから、外部の雑菌等の微生物が二次側流路を通って浄水器内へ侵入するのを防止できる」効果、及び「原水が水道水である場合は該フラッシングによって二次側流路内の消毒を行え、もって浄水器内の微生物繁殖による浄水の水質悪化を効果的に防止できる」効果という格別顕著な効果を奏することが期待できない。
　
（ｃ）まとめ
　以上のとおり、甲第１号証刊行物ないし甲第４号証刊行物には、本件発明１の発明特定事項の一部について個々に記載されているにすぎず、しかも、本件発明１の奏する作用効果は、甲第１号証刊行物ないし甲第４号証刊行物に記載の各発明が奏する作用効果の総和以上のものと認められるから、本件発明１が甲第１号証刊行物ないし甲第４号証刊行物に記載の発明に基づいて当業者が容易に発明をすることができたもの、ということができない。そして、本件発明１は、その請求項１に記載された発明特定事項により特許明細書に記載の格別顕著な前記の効果を奏するものと認められる。
　
ロ．本件発明２及び本件発明３について
  請求項２に係る本件発明２は、請求項１に係る本件発明１を引用する形式で表現された発明であり、また、請求項３に係る本件発明３も、請求項１に係る本件発明１を引用する形式で表現された発明であって、前記本件発明２及び本件発明３の発明はいずれも本件発明１の下位概念に相当する発明であるから、「イ．本件発明１について」欄に上述したとおり、本件発明１が甲第１号証刊行物ないし甲第４号証刊行物に記載の発明に基いて当業者が容易に発明をすることができたものである、ということができない以上、本件発明１の下位概念の関係にある本件発明２及び本件発明３についても、本件発明１と同様に、本件発明２、或いは、本件発明３が甲第１号証刊行物ないし甲第４号証刊行物に記載の発明に基いて当業者が容易に発明をすることができたものである、ということはできない。
　そして、本件発明２及び本件発明３は、その請求項２及び請求項３に記載された発明特定事項により特許明細書に記載の効果を奏するものと認められる。　
　
ハ．まとめ
　以上のとおりであり、申立人の「本件発明１ないし本件発明３は、甲第１号証刊行物ないし甲第４号証刊行物に記載の発明に基いて当業者が容易に発明をすることができたものである」という取消理由の主張は、採用することができない。
　
５．むすび
　以上のとおりであるから、特許異議の申立ての理由によっては本件発明についての特許を取り消すことはできない。
　また、他に本件発明についての特許を取り消すべき理由を発見しない。
　よって、結論のとおり決定する。
【異議決定日】
平成１６年６月１５日（２００４．６．１５）